(57)【要約】【課題】大型化を回避しつつ所望の極数のコネクタを構築できるようにする。【解決手段】キャビティブロック１０のランス接続板１６には端子金具を弾性係止する撓み変形可能なランス１２が設けられる。周壁のうちの一壁は開放面１９として全面的に切り欠かれ、この開放面１９にランス１２の側面全体が臨んでいる。キャビティブロック１０の前後両端部には複数の連結部２１、２２、２３、２４、２５、２６が設けられている。キャビティブロック１０は、同キャビティブロック１０と同形状の部分を含みつつキャビティ１１を一つ有するハウジング６０と相互の連結部２１、２２、２３、２４、２５、２６を介して連結され、その連結動作に伴い、キャビティブロック１０における開放面１９がハウジング６０の妻板６２によって閉止される。【選択図】図５
2008103226.tif 000002
【特許請求の範囲】
【請求項１】
端子金具を挿入可能なキャビティの周りを取り囲む周壁によって構成されるキャビティブロックを備え、
前記キャビティブロックには、前記周壁のうちの一壁に、後方から挿入された前記端子金具を弾性係止する撓み変形可能なランスが設けられるとともに、前記周壁のうち、少なくとも、前記一壁を除いた他の一壁が開放面として全面的に切り欠かれ、かつ、前記周壁の外面に、連結部が設けられており、さらに、
前記キャビティブロックは、同キャビティブロックと同形の他のキャビティブロック、前記キャビティブロックとは異形であるが前記キャビティブロックと同形状の部分を含みつつ前記キャビティを一つまたは二つ以上有する別のキャビティブロック、および前記キャビティを有さない閉止部材のうちのいずれかと、前記連結部によって互いに連結され、その連結動作に伴い、前記キャビティブロックにおける前記開放面は、前記他のキャビティブロック、前記別のキャビティブロック、および前記閉止部材のうちのいずれかによって閉止されることを特徴とするコネクタ。
【請求項２】
前記キャビティブロックは、前後方向に細長い形態をなし、その前後両面と前記開放面の三面にまたがって開放されており、
前記ランスは、その側面を前記開放面に臨ませつつ前後方向に延出する形態をなしていることを特徴とする請求項１に記載のコネクタ。
【請求項３】
前記別のキャビティブロックと前記閉止部材の少なくとも一方は、前記キャビティブロックを収容する収容凹部を備えたハウジングとして構成されることを特徴とする請求項１または請求項２に記載のコネクタ。 
【発明の詳細な説明】
【技術分野】
【０００１】
本発明は、コネクタに関する。
【背景技術】
【０００２】
例えば、圧接コネクタは、複数のコネクタブロックによって構成され、各コネクタブロックを積層状態で組み付けてなるものである（例えば、特許文献１を参照）。各コネクタブロックには複数のキャビティが設けられ、各キャビティはコネクタブロックの上面に開放され、その開口部を通して上から電線がキャビティ内に挿入され、これにより、キャビティ内に収容保持された圧接端子の圧接刃によって電線の被覆が切開されるとともに芯線が圧接刃に接触して導通可能な状態となる。
【特許文献１】特開２００１−１３５４０６公報
【発明の開示】
【発明が解決しようとする課題】
【０００３】
ところで、キャビティの内壁にランスが設けられ、後方からキャビティ内に端子金具が挿入される一般コネクタにあっては、キャビティ部分を含む基本的構成が共通していて極数のみ異なるという場合がある。この場合、コネクタ毎に専用の金型を用意していては金型コストが高くつくため、コネクタ毎の専用金型を廃止して、極数の異なる複数種のコネクタに対応できるようにしたい、という要請がある。  
上記した圧接コネクタをみると、コネクタブロックの積層数は予め定まっており、各コネクタブロックを収容するためのフレームも一種類しか用意されていない。つまり、コネクタブロックの積層数を変更するという考えはそもそもここにない。もっとも、かかる圧接コネクタによれば、コネクタブロックの積層数に応じた極数のコネクタとして組み上げることは可能であり、コネクタブロックの積層数を変更すること自体は可能である。しかし仮にそうした積層数を変更する意図があったとしても、各コネクタブロックにはそれぞれ複数かつ同数のキャビティが設けられているため、一つのコネクタブロックに設けられたキャビティの個数にコネクタブロックの積層数を乗じた極数のコネクタとして組み上げることしかできず、所望の極数のコネクタを構築できるわけではない。まして上記した一般コネクタにあっては、キャビティの周壁の一部を開放させる必要性がないため、通常、コネクタブロックを積み上げるということ自体行われない。
【０００４】
また、圧接コネクタの場合、キャビティの周壁の一部が開放されているとはいっても、その開口部は電線の挿通口となるに過ぎず、キャビティの前端部はその全周が閉止されている。したがって、コネクタブロックを積み上げていくと、上下で隣接するコネクタブロックの上下両壁が重なり合うことになり、その分、高さ方向に嵩張ってコネクタ全体が高背化するおそれがある。  
本発明は上記のような事情に基づいて完成されたものであって、所望の極数のコネクタを構築できるようにした上で、コネクタ全体として嵩張らないようにすることを目的とする。
【課題を解決するための手段】
【０００５】
上記の目的を達成するための手段として、請求項１の発明は、端子金具を挿入可能なキャビティの周りを取り囲む周壁によって構成されるキャビティブロックを備え、前記キャビティブロックには、前記周壁のうちの一壁に、後方から挿入された前記端子金具を弾性係止する撓み変形可能なランスが設けられるとともに、前記周壁のうち、少なくとも、前記一壁を除いた他の一壁が開放面として全面的に切り欠かれ、かつ、前記周壁の外面に、連結部が設けられており、さらに、前記キャビティブロックは、同キャビティブロックと同形の他のキャビティブロック、前記キャビティブロックとは異形であるが前記キャビティブロックと同形状の部分を含みつつ前記キャビティを一つまたは二つ以上有する別のキャビティブロック、および前記キャビティを有さない閉止部材のうちのいずれかと、前記連結部によって互いに連結され、その連結動作に伴い、前記キャビティブロックにおける前記開放面は、前記他のキャビティブロック、前記別のキャビティブロック、および前記閉止部材のうちのいずれかによって閉止される構成としたところに特徴を有する。
【０００６】
請求項２の発明は、請求項１に記載のものにおいて、前記キャビティブロックは、前後方向に細長い形態をなし、その前後両面と前記開放面の三面にまたがって開放されており、前記ランスは、その側面を前記開放面に臨ませつつ前後方向に延出する形態をなしているところに特徴を有する。
【０００７】
請求項３の発明は、請求項１または請求項２に記載のものにおいて、前記別のキャビティブロックと前記閉止部材の少なくとも一方は、前記キャビティブロックを収容する収容凹部を備えたハウジングとして構成されるところに特徴を有する。
【発明の効果】
【０００８】
＜請求項１の発明＞
キャビティブロックは、キャビティの周りを取り囲みつつ少なくとも一面が開放面として全面的に開放された周壁によって構成される。かかるキャビティブロックは、極数が異なる複数種のコネクタにおける共通構造部分の構成単位となるものである。したがって、キャビティブロックが連結部を介して他のキャビティブロック、別のキャビティブロック、および閉止部材のいずれかと連結されることにより、コネクタはその連結個数に応じた所望の極数に調整される。この場合、キャビティブロックにおける開放面は他のキャビティブロック、別のキャビティブロック、および閉止部材のうちのいずれかによって閉止されるから、連結状態における相互の境界部分にキャビティブロックの周壁の厚み幅が加算されることはなく、その分、連結方向に嵩張るのが抑えられる。結果として、コネクタの大型化を回避できる。コネクタが組み上げられた後、キャビティブロック（他のキャビティブロック、別のキャビティブロック）のキャビティ内には後方から端子金具が挿入され、挿入された端子金具がランスによって抜け止めされる。
【０００９】
＜請求項２の発明＞
キャビティブロックは前後方向に細長い形態をなしてその前後両面と開放面の三面にまたがって開放されており、ランスはその側面を開放面に臨ませつつ前後方向に延出する形態をなしているから、キャビティブロックが単品状態にあるときに、ランスの成形状態の良否を、前後方向および側方の三方から多面的に視認することが可能となる。
【００１０】
＜請求項３の発明＞
別のキャビティブロックと閉止部材のうちの少なくとも一方はキャビティブロックを収容する収容凹部を備えたハウジングとして構成されるから、例えば、このハウジングに、相手コネクタを嵌合状態にロックするロック構造を予めまたは後付けで付加することにより、相手コネクタと嵌合状態にロック可能なコネクタとして完成される。
【発明を実施するための最良の形態】
【００１１】
＜実施形態１＞
本発明の実施形態１を図１ないし図１３によって説明する。実施形態１のコネクタＦは、キャビティ１１を一つのみ有するキャビティブロック１０と、キャビティブロック１０とは異形であるがキャビティブロック１０と同形状の部分を含んでキャビティ１１を一つのみ有する別のキャビティブロック（以下、ハウジング６０という）とからなる。
【００１２】
キャビティブロック１０は合成樹脂製であって、図５ないし図１１に示すように、全体として細長い形状をなしている。このキャビティブロック１０は、コネクタＦに設けられた単一のキャビティ１１を基本的構成とするものであり、キャビティ１１の周りを三枚の板が取り囲んでいる。詳しくはキャビティブロック１０は、ランス１２が接続されたランス接続板１６と、ランス接続板１６の一側縁から立ち上げられた側板１７と、側板１７の立ち上げ端からランス接続板１６と対向するよう突出される覆い板１８とを備え、前後両面および側板１７と対向する一側面（本発明における開放面１９に相当する）の三面が連続して開口されている。
【００１３】
ランス１２は、ランス接続板１６の内面後端側に接続された基端部１３と、この基端部１３から前方へ向かって片持ち梁状に延出されるアーム部１４と、アーム部１４の延出端側にて上向き（覆い板１８側）に突出する係止突起１５とからなり、開放面１９を通してその側面全体が視認可能とされ、側板１７の外側方から見れば視認不能とされる。アーム部１４とランス接続板１６との間にはランス１２の撓み空間２０が保有されている。かかるランス１２は、基端部１３を支点としてアーム部１４が撓み空間２０側に撓み変形することで後方から進入する雌側の端子金具（図示せず）の通過を許容し、端子金具が正規挿入されるのに伴ってアーム部１４が弾性復帰するとともに係止突起１５が端子金具とその抜け方向で対面し、もって端子金具をキャビティ１１内に抜け止めする。
【００１４】
また、キャビティブロック１０の開放面１９側にはハウジング６０が配置され、これにより、キャビティブロック１０の開放面１９が閉止されるとともにキャビティ１１の概ね全周が閉じられる。キャビティブロック１０には、同キャビティブロック１０の前後両端面を臨むコーナー部分に、ハウジング６０との連結部２１、２２、２３、２４、２５、２６が設けられている。このうち、ランス接続板１６の前端部には、幅方向の一端側（図６に示す左側）に、第一連結部２１がランス接続板１６の側縁に沿いつつ側方へ張り出して形成されている一方、幅方向の他端側（図６に示す右側）に、第二連結部２２がランス接続板１６の底面を前後方向に沿って切り欠いて形成されている。第一連結部２１には上向きに開口するレール溝２１Ａと上向きに突出するレール突起２１Ｂとが横並びで形成され、第二連結部２２には下向きに開口するレール溝２２Ａと下向きに突出するレール突起２２Ｂとが横並びで形成されている。そして、第一連結部２１と第二連結部２２とは、そのレール突起２１Ｂとレール溝２２Ａとが互いに凹凸状に嵌り合うことが可能な形状とされる。また、ランス接続板１６の後端部には、幅方向の一端側に、ランス接続板１６の底面を前後方向に沿って切り欠くことで第二連結部２２と対応する形状をなす第三連結部２３が形成されている一方、幅方向の他端側に、ランス接続板１６の側縁に沿いつつ側方へ張り出すことで第一連結部２１と対応する形状をなす第四連結部２４が形成されており、この第三連結部２３と第四連結部２４とは、そのレール突起２３Ｂとレール溝２４Ａとが互いに凹凸状に嵌り合うことが可能な形状とされる。
【００１５】
そして、覆い板１８の前端部には、幅方向の一端側に、第五連結部２５が覆い板１８の前端縁を切り欠いて形成されている一方、幅方向の他端側に、第六連結部２６が覆い板１８の側縁から側方へ突出して形成されている。覆い板１８の前端縁の幅方向中間部には凹陥部２５Ａが形成されており、第五連結部２５はこの凹陥部２５Ａの成形に伴って前方へ突出する形態の爪部２５Ｂを備えている。第六連結部２６は、第五連結部２５とは逆向きの後方へ突出する爪部２６Ｂを備えており、爪部２６Ｂの内側における凹陥部２６Ａに第五連結部２５の爪部２５Ｂが凹凸状に嵌り合うことが可能な形状とされる。  
また、側板１７の内外両面には、端子金具の外縁形状（詳しくは端子金具の前端部に形成された箱部の外縁形状）に沿った凹溝１７Ａが形成されており、この凹溝１７Ａの溝縁に、端子金具の挿抜方向（前後方向）に沿った端子金具のガイド縁１７Ｂが形成されているとともに、側板１７の前端部に端子金具の前止まり縁１７Ｅが形成されている。側板１７の前端面の幅方向両側には、端子金具の接続相手となる相手側の雄タブ（図示せず）を下支えする左右一対の支持片２７が突出して形成されている。
【００１６】
側板１７は、その後半部のみランス接続板１６に連設させ、その前半部の下縁とランス接続板１６との間に隙間を保有している。この隙間は、キャビティブロック１０がハウジング６０と連結状態にあるときに、ハウジング６０に形成された隙間と連通し、そこにリテーナ(図示せず）がランス１２の撓み空間２０を横切って嵌入され、リテーナ挿入孔２８として構成される。このリテーナ挿入孔２８にリテーナが嵌入されることでランス１２の撓み動作が規制され、もって端子金具がランス１２とともに実質的に二重係止されるようになっている。覆い板１８の前端部には第五連結部２５および第六連結部２６を含んで薄肉部２９が形成されており、薄肉部２９とその後方の厚肉領域との間に、前下がりの段差面３１が形成されている。
【００１７】
続いて、ハウジング６０について説明する。ハウジング６０は合成樹脂製であって、図１１ないし図１３に示すように、全体として前後方向に長い角筒状をなし、正面から見ると概ね正方形状をなしている。詳しくはハウジング６０は、底板６１、左右一対の妻板６２、天井板６３を備え、その外周面が全周に亘って平坦面とされ、かつ、前後両面が開放されている。また、ハウジング６０には、図１２に示す右側領域にキャビティ部６４が形成され、図１２に示す左側領域にキャビティブロック１０の収容凹部６５が形成されている。キャビティ部６４は、キャビティブロック１０の大部と同形状であって、ランス１２、第一連結部２１、第三連結部２３、第五連結部２５、および支持片２７を有しており、ランス１２が底板６１の後端側に接続され、支持片２７が右側の妻板６２の内面前端側にのみ形成され、第一連結部２１が底板６１の前端縁に形成され、第三連結部２３が底板６１の後端縁に形成され、第五連結部２５が天井板６３の内面前端側に形成されている。また、ランス１２が接続された底板６１の右半部はキャビティブロック１０におけるランス接続板１６と同形状であり、右側の妻板６２の下縁前半部にはリテーナ挿入孔２８が開口して形成されている。このようにキャビティ部６４は、概ねキャビティブロック１０のうちの右端部を除いた部分と同形状とされる。
【００１８】
ハウジング６０の収容凹部６５には、キャビティ部６４と隣接する位置に、キャビティブロック１０が嵌入可能な組付空間６６が底板６１に開口して形成されている。また、ハウジング６０の収容凹部６５には、組付空間６６を挟んでキャビティ部６４と対向する位置に、第二連結部２２、第四連結部２４、第六連結部２６、リテーナ挿入孔２８、および支持片２７を有するキャビティ分割部６７が形成されている。支持片２７は左側の妻板６２の内面前端側にのみ形成され、第二連結部２２は底板６１の前端縁に形成され、第四連結部２４は底板６１の後端縁に形成され、第六連結部２６は天井板６３の内面前端側に形成されている。キャビティ分割部６７は、上記したキャビティブロック１０の右端部を構成するものであって、キャビティ部６４とは相補的関係にある。図１３に示すように、キャビティ部６４の第一連結部２１とキャビティ分割部６７の第四連結部２４は組付空間６６側へ互いに逆向きに突出する形態とされる。  
そして、天井板６３の前端部には、同前端縁からスリット６８が幅方向に切り入れられている。キャビティ分割部６７は、組付空間６６に前方からキャビティブロック１０が挿入されたときに、スリット６８を介して幅方向に弾性的に拡開することで、キャビティブロック１０の挿入動作を許容するようになっている。
【００１９】
次に、ハウジング６０にキャビティブロック１０を組み付ける手順について説明する。まず、ハウジング６０の組付空間６６の前面にキャビティブロック１０の後端面を対向させつつ、該組付空間６６に前方からキャビティブロック１０を挿入する。すると、キャビティブロック１０の覆い板１８の後端一角がキャビティ分割部６７に当接してキャビティ分割部６７を幅方向に拡開させつつ、キャビティブロック１０の第一連結部２１および第三連結部２３が、それぞれ、キャビティ分割部６７の第二連結部２２および第四連結部２４にスライドされるとともに、キャビティブロック１０の第二連結部２２および第四連結部２４が、それぞれ、キャビティ部６４の第一連結部２１および第三連結部２３にスライドされる。キャビティブロック１０が正規挿入されると、キャビティブロック１０の第六連結部２６がキャビティ部６４の第五連結部２５に当て止め状態で嵌合するとともに、キャビティ分割部６７の復帰に伴いキャビティブロック１０の第五連結部２５がキャビティ分割部６７の第六連結部２６に嵌合する。
【００２０】
かくしてキャビティブロック１０は、図１ないし図４に示すように、第五連結部２５と第六連結部２６とが連結されることにより、前後方向への移動が規制されてハウジング６０からの抜け止めがなされるとともに、第一連結部２１と第二連結部２２とが連結されることにより、および第三連結部２３と第四連結部２４とが連結されることにより、幅方向および高さ方向への遊動を規制された状態でハウジング６０内にリジッドに組み付けられる。かく組み付け状態において、ハウジング６０内には、キャビティ部６４におけるランス１２とキャビティブロック１０におけるランス１２とがキャビティブロック１０の側板１７を挟んで幅方向に並び合うとともに、キャビティブロック１０の開放面１９がハウジング６０の妻板６２（キャビティ分割部６７）によって閉止され、キャビティ１１の概ね全周が閉じられる。
【００２１】
この後、キャビティブロック１０およびキャビティ部６４の各キャビティ１１内に後方から端子金具が挿入され、正規挿入された端子金具がランス１２によって抜け止め状態で弾性係止される。こうして端子金具がランス１２によって一次係止された後、リテーナ挿入孔２８にリテーナが挿入されることでランス１２の撓み動作が規制され、端子金具が二次係止される。そして、ハウジング６０に相手側のコネクタが嵌合されるに伴い、各キャビティ１１内に前方から相手側の雄タブが挿入される。これにより、雄タブは、キャビティブロック１０、キャビティ部６４、およびキャビティ分割部６７の各支持片２７によって幅方向に支持されつつ端子金具の箱部内に進入し、もって端子金具と導通可能に接触する。なお、ハウジング６０には、相手側のコネクタを嵌合状態にロックするロックアーム等のロック構造が後付けで付加される。
【００２２】
以上のように本実施形態によれば、キャビティブロック１０をハウジング６０に組み付けることで二極タイプのコネクタＦを構築することができる。この場合、キャビティブロック１０は極数を異にする複数種のコネクタＦにおける最小構成単位となるものであるから、キャビティブロック１０をこれと同形状の他のキャビティブロック１０と連結部２１、２２、２３、２４、２５、２６を介して幅方向に順次連結することにより、キャビティブロック１０の開放面１９を他のキャビティブロック１０の側板１７によって閉止しつつ、幅方向に所望の極数のコネクタＦとして構築することが可能となる。  
また、キャビティブロック１０における開放面１９がハウジング６０の妻板６２によって閉止されるから、連結状態における相互の境界部分にキャビティブロック１０の側板１７の厚み幅が加算されることはなく、その分、幅方向（連結方向）に嵩張るのが抑えられる。結果、コネクタＦの大型化を回避できる。
【００２３】
また、キャビティブロック１０は前後方向に細長い形態をなしてその前後両面と開放面１９の三面にまたがって開放されており、ランス１２はその側面を開放面１９に臨ませつつ前後方向に延出する形態をなしているから、キャビティブロック１０が単品状態にあるときに、ランス１２の成形状態の良否を、前後方向および側方の三方から多面的に視認することが可能となる。
【００２４】
＜実施形態２＞
次に、本発明の実施形態２を図１４ないし図１６によって説明する。実施形態２のコネクタＦ１は、二つのキャビティ１１を有するキャビティブロック１０Ａと、一つのキャビティ１１を有しつつキャビティブロック１０Ａを収容可能な収容凹部６５を備えた別のキャビティブロック（ハウジング６０Ａ）とからなる。
【００２５】
実施形態２におけるキャビティブロック１０Ａは、実施形態１におけるキャビティブロック１０と実質的に同形状の単一キャビティブロック１０Ｂを幅方向に二つ横並びで一体的に接合させた構造であって、単一キャビティブロック１０Ｂの各キャビティ１１間が一枚の側板１７によって仕切られている。横並び状態にある単一キャビティブロック１０Ｂは、その境界部において一方の単一キャビティブロック１０Ｂの第五連結部２５が他方の単一キャビティブロック１０Ｂの第六連結部２６と隘路６９を介して凹凸状に対向する形態をなし、ここにおいて組み付けに伴う微小な遊動が許容される。一方、ハウジング６０Ａは、幅広に開口された組付空間６６を有しており、上記した幅広のキャビティブロック１０Ａを収容可能としてある。ハウジング６０Ａの構造自体は、実施形態１におけるハウジング６０と同様である。組み付けに際して、キャビティブロック１０Ａはハウジング６０Ａに対して前方から挿入され、このキャビティブロック１０Ａとハウジング６０Ａの対応する連結部２１、２２、２３、２４、２５、２６同士が連結される。かくしてキャビティブロック１０Ａは三極のコネクタＦ１として構築される。
【００２６】
実施形態２によれば、単一キャビティブロック１０Ｂを二つ横並びさせたキャビティブロック１０Ａをハウジング６０Ａの収容凹部６５に収容するようにしたので、実施形態１におけるキャビティブロック１０を一つずつハウジング６０Ａに組み付ける場合と比較して、組み付け工数を削減することができ、作業負担を軽減できる。また、こうした単一キャビティブロック１０Ｂを二つ横並びさせたキャビティブロック１０Ａと実施形態１におけるキャビティブロック１０とを連結部２１、２２、２３、２４、２５、２６を介して適宜の組み合わせで組み付けることも可能である。
【００２７】
＜実施形態３＞
図１７ないし図２５は本発明の実施形態３を示す。実施形態３におけるキャビティブロック１０Ｅは、高さ方向（縦方向）に順次連結させることが可能な構造であり、この点、幅方向（横方向）に順次連結可能とされる実施形態１および実施形態２とは異なっている。もっとも、実施形態３は、実施形態１および実施形態２と構造上共通する部分が多いので、実施形態１および実施形態２と共通構造部分には同一符号を付し、作用効果の重複する説明は省略する。
【００２８】
このキャビティブロック１０Ｅは、ランス接続板１６、側板１７、覆い板１８を備え、側板１７と対向する面（開放面１９）および前後両面の三面が連続して開口されている。そして、ランス接続板１６には片持ち梁状のランス１２が接続され、側板１７の内外両面には端子金具の外縁形状に沿った凹溝１７Ａが形成され、側板１７の前端面の幅方向両側には左右一対の支持片２７が突成され、さらに、側板１７の前半部の下縁にはリテーナ挿入孔２８が開口して形成されている。以上は実施形態１におけるキャビティブロック１０と同様であるが、実施形態１における連結部２１、２２、２３、２４、２５、２６を有しておらず、後述するように別形状の連結部４１、４４，４５，４６を有している。
【００２９】
また、ランス接続板１６の前端位置は覆い板１８の前端位置より後退した位置に設定されている。そして、ランス接続板１６の外面（下面）には、その前端寄りの位置に、略円柱状の突部４１が突成され、突部４１より後方に、前後方向に沿って延出される第一肉抜き部４２が形成され、その後端部に、第一肉抜き部４２と連通するとともに後面に開口する第二肉抜き部４３が形成され、さらに、第二肉抜き部４３の側縁から後方（第二肉抜き部４３の内側）へ向かって嵌合突片４４が突出して形成されている（図２２を参照）。ランス接続板１６は、第一肉抜き部４２と第二肉抜き部４３とによって薄肉化され、全体として撓み変形し得る形状となる。
【００３０】
また、覆い板１８の後端位置はランス接続板１６の後端位置より前方にあり、この覆い板１８の後端とランス接続板１６の後端との間に対応する側板１７の立ち上げ端から庇状の嵌合保持部４５が内向きに突成されている。嵌合保持部４５は、覆い板１８より一段高い位置にあって覆い板１８の幅方向略中央を少し超える突出寸法を有している。そして、嵌合保持部４５の内面（下面）には、前方から嵌合突片４４が嵌入可能とされる有底の受け溝４６が前面に開口しつつ前後方向に凹設されている。  
そして、覆い板１８の幅方向略中央部には、後面に開口しつつ前後方向に沿って延出される嵌合溝４７が形成されている。嵌合溝４７の前端位置はランス接続板１６側の突部４１の前端位置とほぼ同位置であり、この嵌合溝４７に突部４１が嵌入可能となっている。
【００３１】
ここで、上記したキャビティブロック１０Ｅを複数用意しておき、その上で、まず二つのキャビティブロック１０Ｅを上下方向に並べるとともに、上側のキャビティブロック１０Ｅ（本発明におけるキャビティブロック）を下側のキャビティブロック１０Ｅ（本発明における他のキャビティブロック）より前方に位置させる。続いて、上側のキャビティブロック１０Ｅの嵌合突片４４を下側のキャビティブロック１０Ｅの受け溝４６に対して前方から挿入し、嵌合保持部４５を第二肉抜き孔４３にスライド挿入する。この挿入動作とともに、覆い板１８を撓ませながら上側のキャビティブロック１０Ｅの突部４１を下側のキャビティブロック１０Ｅの嵌合溝４７に嵌入する。すると、嵌合突片４４が嵌合保持部４５に嵌入保持されることで下側のキャビティブロック１０Ｅに対する上側のキャビティブロック１０Ｅの幅方向、高さ方向、および後方への相対変位が規制されるとともに、突部４１が嵌合溝４７に嵌入されることで下側のキャビティブロック１０Ｅに対する上側のキャビティブロック１０Ｅの前方への相対変位が規制され、もって両キャビティブロック１０Ｅがリジッドに組み付けられる（図２３ないし図２５を参照）。  
したがって実施形態３によれば、複数のキャビティブロック１０Ｅを高さ方向に順次組み上げることで、高さ方向に所望の極数のコネクタＦとして構築することが可能となる。
【００３２】
＜他の実施形態＞
本発明は上記記述及び図面によって説明した実施形態に限定されるものではなく、例えば次のような実施形態も本発明の技術的範囲に含まれる。  
（１）本発明において、閉止部材は、キャビティブロックの開放面を閉止可能な構造であれば特に限定されず、例えば、キャビティをもたない単なる一枚板によって構成されてもよく、あるいは、キャビティをもたない一枚板を有しつつキャビティブロックの収容凹部を備えたハウジングとして構築されてもよい。  
（２）本発明によれば、ハウジングに予めロックアーム等のロック構造を一体的に形成しておいてもよい。  
（３）実施形態２において、単一キャビティブロックを三つ以上横並びさせて接合することでキャビティブロックを形成してもよい。  
（４）実施形態３において、単一キャビティブロックを二つ以上積層させて接合することでキャビティブロックを形成してもよい。  
（５）本発明によれば、実施形態１、実施形態２、実施形態３における各キャビティブロックを適宜組み合わせてハウジングに収容することで所望の極数のコネクタとして構築することが可能である。
【図面の簡単な説明】
【００３３】
【図１】実施形態１のコネクタの斜視図
【図２】コネクタの正面図
【図３】コネクタの背面図
【図４】コネクタの底面図
【図５】キャビティブロックの斜視図
【図６】キャビティブロックの正面図
【図７】キャビティブロックの平面図
【図８】キャビティブロックの右側面図
【図９】キャビティブロックの左側面図
【図１０】キャビティブロックの底面図
【図１１】ハウジングの斜視図
【図１２】ハウジングの正面図
【図１３】ハウジングの底面図
【図１４】実施形態２のコネクタの斜視図
【図１５】ハウジングの斜視図
【図１６】キャビティブロックの斜視図
【図１７】実施形態３のキャビティブロックの斜視図
【図１８】キャビティブロックの正面図
【図１９】キャビティブロックの平面図
【図２０】キャビティブロックの右側面図
【図２１】キャビティブロックの左側面図
【図２２】キャビティブロックの底面図
【図２３】組み付け状態にあるキャビティブロックと他のキャビティブロックの斜視図
【図２４】組み付け状態にあるキャビティブロックと他のキャビティブロックの左側面図
【図２５】組み付け状態にあるキャビティブロックと他のキャビティブロックの背面図
【符号の説明】
【００３４】
Ｆ，Ｆ１…コネクタ
１０，１０Ａ，１０Ｅ…キャビティブロック
１１…キャビティ
１２…ランス
１６…ランス接続板
１７…側板
１９…開放面
２１…第一連結部
２２…第二連結部
２３…第三連結部
２４…第四連結部
２５…第五連結部
２６…第六連結部
２７…支持片
６０…ハウジング
６２…妻板
６５…収容凹部
６６…組付空間
【図１】
2008103226.tif 000003
【図２】
2008103226.tif 000004
【図３】
2008103226.tif 000005
【図４】
2008103226.tif 000006
【図５】
2008103226.tif 000007
【図６】
2008103226.tif 000008
【図７】
2008103226.tif 000009
【図８】
2008103226.tif 000010
【図９】
2008103226.tif 000011
【図１０】
2008103226.tif 000012
【図１１】
2008103226.tif 000013
【図１２】
2008103226.tif 000014
【図１３】
2008103226.tif 000015
【図１４】
2008103226.tif 000016
【図１５】
2008103226.tif 000017
【図１６】
2008103226.tif 000018
【図１７】
2008103226.tif 000019
【図１８】
2008103226.tif 000020
【図１９】
2008103226.tif 000021
【図２０】
2008103226.tif 000022
【図２１】
2008103226.tif 000023
【図２２】
2008103226.tif 000024
【図２３】
2008103226.tif 000025
【図２４】
2008103226.tif 000026
【図２５】
2008103226.tif 000027